(57)【特許請求の範囲】
【請求項１】
スロットマシンのメダル払出し口から払い出されたメダルの枚数Ｙを、当該メダル払出し口に設置されたメダル検知センサで検知して、メダル検知信号として当該メダル検知センサから出力し、
前記スロットマシンのメダル投入口に投入されたメダル枚数Ｖを、当該メダル投入口に設置されたメダル投入センサで検知して、メダル投入信号として当該メダル投入センサから出力し、
前記スロットマシンでのゲームに使用されたメダル枚数Ｗを、メダルＩＮ信号として当該スロットマシンに設けられたセンサから出力し、
前記スロットマシンが払出しを行うメダル払出し枚数Ｘを、メダル払出し信号として当該スロットマシンに設けられたセンサから出力し、
前記スロットマシン内部に制御手段を備え、前記メダル検知信号、前記メダル投入信号、前記メダルＩＮ信号および前記メダル払出し信号を当該制御手段に入力し、
前記制御手段にて、入力された前記メダル検知信号、前記メダル投入信号、前記メダルＩＮ信号および前記メダル払出し信号に基づいて、メダル枚数Ｖとメダル枚数Ｗとからクレジット枚数Ｃ１＝Ｖ−Ｗを認識し、メダル払出し枚数Ｘと払い出されたメダルの枚数Ｙとからクレジット枚数Ｃ２＝Ｘ−Ｙを認識し、さらにクレジット枚数Ｃ１及びＣ２から前記スロットマシンに実際にクレジットされているクレジット枚数Ｃ３＝Ｃ１＋Ｃ２を認識するとともに、当該クレジット枚数Ｃ３の認識結果が負の値であるか否かを判定し、負の値であれば異常が発生していると判断するように、メダル枚数の管理を行い、
異常が発生していると判断した場合に、前記制御手段が異常信号を出力して、異常表示灯に異常表示を行わせる
ことを特徴とする自動補給メダル枚数管理システムを備えたスロットマシン。
【請求項２】
前記メダル払出し口を介してメダル払出しを行うメダル払出しホッパー内のメダル数の検知結果に応じてメダル補給要求信号を出力するメダル補給センサが設けられており、
前記制御手段は、異常が発生していると判断すると、前記メダル補給センサによる前記メダル補給要求信号の出力があっても、当該メダル補給要求信号を前記メダル払出しホッパー内へのメダル補給を行うメダル自動補給装置に送らずに、当該メダル払出しホッパー内へのメダル補給を行わないようにする
ことを特徴とする請求項１に記載の自動補給メダル枚数管理システムを備えたスロットマシン。
【請求項３】
上記の異常表示は、スロットマシンの異常表示灯とスロットマシン島に設けられた集中異常表示灯の双方で行われることを特徴とする請求項１または２に記載の自動補給メダル枚数管理システムを備えたスロットマシン。
【請求項４】
上記の異常表示は、スロットマシンの異常表示灯もしくはスロットマシン島に設けられた集中異常表示灯のいずれか一方で行われることを特徴とする請求項１または２に記載の自動補給メダル枚数管理システムを備えたスロットマシン。
【発明の詳細な説明】
【０００１】
【発明の属する技術分野】
本発明は、スロットマシンにおいて、ゴト師と言われる不正行為者による不正行為を確実に検出できると共に、異常発生時にメダルの補給を停止してメダルが不正に抜かれるのを防止できる自動補給メダル枚数管理システムを備えたスロットマシンに関するものである。
【０００２】
【従来の技術】
従来のスロットマシンにおいては、ゴト師と言われる不正行為者によってメダルが不正に抜き取られる事態が後を絶っていない。
これは、メダルの払出し口から器具を突っ込んでメダル検知センサ等を操作してメダルを抜き取るケースが殆どであり、メダルが抜かれて減少すると、メダル補給要求信号が出され、自動補給装置からメダルが自動補給されるようになっているため、異常を検出して補給要求信号をカットしない限り、メダル補給要求が出っぱなしとなって、メダルが抜かれ放題となる。
【０００３】
これを防止するため、図４、図５に示すようなシステムが提案されている。
図４はスロットマシン内部の概略構成図、図５はその自動補給メダル枚数管理システム図であり、スロットマシン３１側からメダルの払出し枚数を示すメダル払出し信号３２と、メダル払出しホッパー３３のメダル払出し口３４に取付けられているメダル検知センサ３５から出力されるメダル検知信号３６と、メダル払出しホッパー３３内のメダル数を検知するメダル補給センサ３７から出力されるメダル補給要求信号３８とを出力し、これらの信号に基づいてメダル補給と異常検出を行うようにしている。
【０００４】
すなわち、メダル払出し信号３２とメダル検知センサ３５からのメダル検知信号３６とをメダル払出し異常検出装置３９に入力し、スロットマシン３１が正規に払いだそうとしたメダル枚数に間違いがあるか否かを検知して、間違いがあれば、メダル払出し異常検出装置３９が異常信号を中継基板（コンピュータ制御手段）４０に出力し、中継基板（コンピュータ制御手段）４０は異常信号が入力されたとき、異常表示灯４１を点滅させると共に、メダル自動補給装置４２から当該スロットマシン３１へのメダル補給を停止するようにしている。
【０００５】
一方、メダル払出しホッパー３３からメダルが払出されることにより、メダルホッパー３３内のメダルが減少すると、メダル補給センサ３７がそれを検知してメダル補給要求信号３８を中継基板（コンピュータ制御手段）４０に出力し、その信号が分岐基板４３を介してスロットマシン島内のメダル自動補給装置４２に入力され、メダル自動補給装置４２から当該スロットマシン３１にメダルが自動補給されるようにしている。
なお、４４は異常検出状態を解除するリセットスイッチである。
【０００６】
上記した従来のシステムでは、メダル払出しホッパー３３のモーターの動き、つまりモーター駆動ハーネスに設けた電流センサによって検出されるモーター駆動時間とメダル払出し信号３２とを比較することにより異常を検出するか、あるいはメダル払出し口３４に取付けたメダル検知センサ３５からのメダル検知信号３６とメダル払出し信号３２とを比較することにより異常を検出するか、のいずれかを用いることにによって、ゴト師による不正行為を検出するようにしていた。
【０００７】
しかしながら、従来のシステムでは、前者の場合、いわゆるクレジット払出し時にはメダル払出し信号３２が出力されないため、異常となってしまう問題があると共に、メダル払出し信号３２とモーター駆動時間にずれがあるため、正確に異常か否かが判別できない問題があり、また、後者の場合には、メダル１枚ごとに判別しているために正確性はあるものの、クレジット返却時にメダル払出し信号３２が出力されないため、この場合も異常となってしまう問題があった。
このように従来のシステムの場合、スロットマシンのクレジット機能に関連しての配慮がなされていなかったため、クレジット払出し時及びクレジット返却時に、メダル払出し信号３２が出力されずに異常となってしまう問題があり、ゴト師による不正行為を完全に検出することはできなかった。
【０００８】
【発明が解決しようとする課題】
本発明は、以上の問題に対処するためになされたものであり、その第一の課題は、クレジットの払出し時及び返却時にも異常となることなく、ゴト師による不正行為だけを確実に検出できる自動補給メダル枚数管理システムを備えたスロットマシンを提供することにある。
また、本発明のもう一つの課題は、異常検出時にメダルの補給要求信号が出力されていても、それをカットしてメダルの補給を停止できる自動補給メダル枚数管理システムを備えたスロットマシンを提供することにある。
【０００９】
【課題を解決するための手段】
上記した課題を解決するため、本発明にかかる自動補給メダル枚数管理システムを備えたスロットマシンは、スロットマシンのメダル払出し口から払い出されたメダルの枚数Ｙを、当該メダル払出し口に設置されたメダル検知センサで検知して、メダル検知信号として当該メダル検知センサから出力し、前記スロットマシンのメダル投入口に投入されたメダル枚数Ｖを、当該メダル投入口に設置されたメダル投入センサで検知して、メダル投入信号として当該メダル投入センサから出力し、前記スロットマシンでのゲームに使用されたメダル枚数Ｗを、メダルＩＮ信号として当該スロットマシンに設けられたセンサから出力し、前記スロットマシンが払出しを行うメダル払出し枚数Ｘを、メダル払出し信号として当該スロットマシンに設けられたセンサから出力し、前記スロットマシン内部に制御手段を備え、前記メダル検知信号、前記メダル投入信号、前記メダルＩＮ信号および前記メダル払出し信号を当該制御手段に入力し、前記制御手段にて、入力された前記メダル検知信号、前記メダル投入信号、前記メダルＩＮ信号および前記メダル払出し信号に基づいて、メダル枚数Ｖとメダル枚数Ｗとからクレジット枚数Ｃ１＝Ｖ−Ｗを認識し、メダル払出し枚数Ｘと払い出されたメダルの枚数Ｙとからクレジット枚数Ｃ２＝Ｘ−Ｙを認識し、さらにクレジット枚数Ｃ１及びＣ２から前記スロットマシンに実際にクレジットされているクレジット枚数Ｃ３＝Ｃ１＋Ｃ２を認識するとともに、当該クレジット枚数Ｃ３の認識結果が負の値であるか否かを判定し、負の値であれば異常が発生していると判断するように、メダル枚数の管理を行い、異常が発生していると判断した場合に、前記制御手段が異常信号を出力して、異常表示灯に異常表示を行わせることを特徴とするものであり、メダル検知信号、メダル投入信号、メダルＩＮ信号及びメダル払出し信号の四つの信号を入力して、スロットマシンにおけるメダルのクレジット枚数Ｃ３を認識するとともに、当該クレジット枚数Ｃ３の認識結果が負の値であるか否かを判定し、負の値であれば異常が発生していると判断するように、メダル枚数を管理することによって、クレジットの払出し及び返却時に異常検出することなく、ゴト師による不正行為だけを確実に検出することができるようになる。
【００１０】
また、本発明にかかる自動補給メダル枚数管理システムを備えたスロットマシンは、上記した自動補給メダル枚数管理システムを備えたスロットマシンにおいて、前記メダル払出し口を介してメダル払出しを行うメダル払出しホッパー内のメダル数の検知結果に応じてメダル補給要求信号を出力するメダル補給センサが設けられており、前記制御手段は、異常が発生していると判断すると、前記メダル補給センサによる前記メダル補給要求信号の出力があっても、当該メダル補給要求信号を前記メダル払出しホッパー内へのメダル補給を行うメダル自動補給装置に送らずに、当該メダル払出しホッパー内へのメダル補給を行わないようにすることを特徴とするものであり、異常発生時にはメダル補給要求信号に応じたメダル補給を行わないようにすることで、メダルが不正に抜かれるのを防止することができる。
さらに、本発明にかかる自動補給メダル枚数管理システムを備えたスロットマシンにおいて、上記の異常表示は、スロットマシンの異常表示灯とスロットマシン島に設けられた集中異常表示灯の双方で行われることを特徴とするもの、あるいは異常表示灯もしくは集中異常表示灯のいずれか一方で行なわれることを特徴とするものであり、スロットマシンの異常表示灯とスロットマシン島の集中異常表示灯の双方もしくはいずれか一方で異常表示することによって、異常を確実に知らせることができる。
【００１１】
【発明の実施の形態】
以下に本発明の実施の形態を図１乃至図３に基づいて説明する。
図１は本発明の実施形態にかかるスロットマシン内部の概略構成図、図２は本発明のスロットマシンの自動補給メダル枚数管理システムの構成図、図３は自動補給メダル枚数管理システムの動作フローチャート図である。
【００１２】
図中において、１はスロットマシンであり、その内部にはメダル払出しホッパー２が設置され、メダル払出し口３を介してメダルを払出しできるよう構成されている。
メダル払出し口３には、反射型フォトセンサ等からなるメダル検知センサ４が設置されており、メダル払出し口３から払いだされるメダルの枚数を検知し、メダル検知信号５を出力するようになっている。
【００１３】
メダル払出しホッパー２には、メダル補給センサ６が設けられており、メダル払出しホッパー２内のメダル数が減少したとき、それを検知してメダル補給要求信号７を出力するようになっている。
また、スロットマシン１の前面扉８には、メダル投入口９が設けられ、同メダル投入口９には、反射型フォトセンサ等からなるメダル投入センサ１０が設置されており、メダル投入口９から投入されたメダルの枚数を検知し、メダル投入信号１１を出力するようになっている。
【００１４】
更に、スロットマシン１からは、スロットマシン１のクレジットに関連してスロットマシン１に設けられたセンサから出力される信号であって、投入されたメダルのうちスロットマシン１に実投入されたメダルのＩＮ枚数（ＢＥＴ）を示すメダルＩＮ信号１２、及びメダルの払出し枚数を示すメダル払出し信号１３が出力されるようになっている。
【００１５】
スロットマシン１の内部には中継基板（コンピュータ制御手段）１４が備えられており、上記メダル検知センサ４、メダル補給センサ６、メダル投入センサ１０と配線接続されている。
従って、これらの各センサからのメダル検知信号５、メダル補給要求信号７、及びメダル投入信号１１、クレジットに関連して出力されるメダルＩＮ信号１２、及びメダル払出し信号１３は中継基板（コンピュータ制御手段）１４に入力されるようになっている。
【００１６】
中継基板（コンピュータ制御手段）１４は、後述する動作フローチャートに沿ってメダルのクレジット払出し、及びクレジット返却等によるクレジット枚数を明確にした上で、異常検出を実行し、異常を検出した場合、異常信号１５を出力して異常表示灯１６及び集中異常表示灯１７を点滅させると共に、メダル自動補給装置１８の島端一括異常表示部１９にスロットマシン１等の番号を表示させ、異常個所を報知させるよう構成されている。
なお、集中異常表示灯１７は、スロットマシン島端またはメダル自動補給装置１８の上に設置されている。
【００１７】
上記の異常表示は、異常表示灯１６及び集中異常表示灯１７の双方の点滅、あるいは集中異常表示灯１７の点滅及び島端一括異常表示部１９にスロットマシン１の番号等を表示する方法と、異常表示灯１６もしくは集中異常表示灯１７のいずれか一方を点滅する方法があり、スロットマシン遊技場では上記の方法の中から遊技場に合わせて選択することになる。
このように各種の異常表示方法を選択可能にすることにより、前者を選択した場合は、遠方の例えばカウンターからでも異常が発生したスロットマシン島の確認をすることができると同時に、その島の異常が発生したスロットマシン１を確実に知らせることができ、迅速に対処することができる。
また、後者を選択した場合は、異常表示灯１６のみの点滅では、遠方からの異常の確認については集中異常表示灯１７が点滅しないので幾分難点があり、集中異常表示灯１７のみの点滅では、遠方からの異常の確認については特に問題はないが、異常が発生したスロットマシン１の確認には異常表示灯１６が点滅しないので幾分難点がある。しかしながら、異常表示装置を安価に製作することができるので、小規模の遊技場に適した異常表示方法となる。
【００１８】
また、中継基板（コンピュータ制御手段）１４は、異常を検出した場合、メダル補給要求信号７があってもそれをカットして、当該スロットマシン１へのメダル補給を停止させるよう構成されている。
一方、異常検出処理により異常が検出されなければ、通常動作が実行され、メダル補給要求信号７があれば、分岐基板２０を介してメダル自動補給装置１８に補給要求信号２１が送られ、メダル自動補給装置１８より当該スロットマシン１にメダルが自動的に補給されるようになっている。
なお、異常が検出された場合、必要な処置を行った後、リセットスイッチ２２によって異常状態を解除できるようになっている。
【００１９】
次に、クレジット機能について説明する。
メダルＩＮ信号１２は、１回の遊技に対して最大３枚のメダルのパルスを送るようになっており、また、クレジットに貯留される枚数は最大５０枚までとなっている。
例えば、メダルをメダル投入口９より５枚投入した場合、３枚はメダルＩＮ信号１２となるが、残りの２枚はクレジットに加算されることになる。
いま、クレジットにメダルが４５枚あり、１５枚の小役が当たってメダルが払いだされた場合、５枚はクレジットに加算され、残りの１０枚はメダル払出しホッパー２よりメダル払出し口３を介して払いだされ、この時、クレジット枚数は最大の５０枚となる。
【００２０】
しかして、上記の実施形態における動作を、図３に示す動作フローチャート図に基づいて説明する。
スロットマシン１には、クレジットに貯留されているメダルあるいは払いだされたメダルのうち実際には３枚しか投入できないので、メダル投入口９から投入されたメダルの枚数が３枚の場合には、メダル投入信号１１とメダルＩＮ信号１２は一致することになる。
メダル投入枚数が３枚を越えた場合、メダルＩＮ信号１２は３となり、メダル投入信号１１はメダル投入実枚数となる。
【００２１】
例えば、メダルが５枚投入された場合、そのうちの３枚はスロットマシン１に投入され、メダルＩＮ信号１２としては３が出力され、残りの２枚はクレジットに加算され、メダル投入信号１１としては５が出力されることになり、クレジット機能が実行されたことになる。
すなわち、初期化によりクレジット枚数Ｃが、Ｃ＝０の後にメダル投入信号１１が有りの場合、クレジット枚数Ｃは、Ｃ＝Ｃ＋１となり、次にメダルＩＮ信号１２が有りの場合、クレジット枚数Ｃは、Ｃ＝Ｃ−１となり、実際のクレジット枚数Ｃは、Ｃ＝１−１＝０となる。
【００２２】
ここで、中継基板（コンピュータ制御手段）１４には、上記のようにメダル検知信号５、メダル補給要求信号７、メダル投入信号１１、メダルＩＮ信号１２及びメダル払出し信号１３の五つの信号が入力されるようになっている。
この五つの信号により、
（１）投入されたメダル枚数Ｖ（メダル投入信号１１）とゲームに使用されたメダル枚数Ｗ（メダルＩＮ信号１２）から、Ｖ−Ｗ＝クレジット枚数となり、クレジット枚数Ｃ１が明確になる。
【００２３】
（２）メダルの払出し枚数Ｘ（メダル払出し信号１３）と払いだされたメダル検知枚数Ｙ（メダル検知信号５）から、Ｘ−Ｙ＝クレジット枚数となり、クレジット枚数Ｃ２が明確になる。
（３）更に、クレジット枚数Ｃ１及びＣ２から、実際にクレジットされているクレジット枚数Ｃ３が、Ｃ３＝Ｃ１＋Ｃ２より明確となる。
（４）従って、メダル払出し枚数Ｘとメダル検知枚数Ｙ及び実際のクレジット枚数Ｃ３から、Ｖ−Ｗ＝Ｃ１、Ｘ−Ｙ＝Ｃ２、（Ｖ−Ｗ）＋（Ｘ−Ｙ）＝Ｃ１＋Ｃ２＝Ｃ３となる。
【００２４】
これにより、クレジットにメダルが貯留されていたとしても、実際のクレジット枚数を明確とし、そのクレジット枚数に基づき図３の動作フローチャート図に示す手順で異常処理を行えば、従来のもののようにクレジットの払出し及び返却によりメダル払出し信号が出力されずに異常となることはなく、メダル補給要求信号７が中継基板（コンピュータ制御手段）１４に入力されていれば、補給要求信号２１が分岐基板２０を経由してメダル自動補給装置１８に送られ、メダル自動補給装置１８から当該スロットマシン１にメダルが自動補給されることになる。
【００２５】
以上の動作過程においてメダルが不正に抜き取られておれば、中継基板（コンピュータ制御手段）１４は上記のメダル枚数から異常を検出し、直ちに異常信号１５を出力して異常表示灯１６及び集中異常表示灯１７を点滅させると共に、島端一括異常表示部１９に異常個所を番号表示し、併せてメダル補給要求信号７が出力されておれば、それをカットして当該スロットマシン１へのメダル補給を停止させる。
従って、上記のシステムによれば、クレジット枚数を含めたメダル枚数管理を実行することができるため、クレジットの払出し及び返却時に異常となる問題を解消することができると共に、ゴト師による不正行為を確実に検出することができ、メダルが不正に抜かれるのを防止することができる。
【００２６】
【発明の効果】
以上に詳しく説明したように、本発明にかかる自動補給メダル枚数管理システムを備えたスロットマシンによると、新たにメダル投入センサ等のセンサを設け、メダル投入信号及びメダルＩＮ信号を入力するだけで、比較的簡単な構成の変更を加えることによってクレジット機能に対応でき、クレジットの払出し時及び返却時にも異常を発生することなく正常に動作し、ゴト師による不正行為だけを異常として確実に検出できるスロットマシンを得ることができる。
【００２７】
また、異常検出時には、メダルの補給要求信号が出力されていても、それをカットしてメダルの補給を停止できるので、メダルの余分な抜き取りを防止することができる。
更に、異常検出時には、スロットマシンの異常表示灯とスロットマシン島に設けられた集中異常表示灯の双方で異常表示できるため、異常を確実に知らせ、迅速に対処させることができる。
また更に、スロットマシンの異常表示灯とスロットマシン島に設けられた集中異常表示灯のいずれか一方でも異常表示できるため、異常表示装置を安価に提供することができる。
【図面の簡単な説明】
【図１】本発明の実施形態にかかるスロットマシン内部の概略構成図である。
【図２】本発明のスロットマシンの自動補給メダル枚数管理システムの構成図である。
【図３】本発明の自動補給メダル枚数管理システムの動作フローチャート図である。
【図４】従来のスロットマシン内部の概略構成図である。
【図５】従来の自動補給メダル枚数管理システムの構成図である。
【符号の説明】
１…スロットマシン、２…メダル払出しホッパー、３…メダル払出し口、４…メダル検知センサ、５…メダル検知信号、６…メダル補給センサ、７，２１…メダル補給要求信号、９…メダル投入口、１０…メダル投入センサ、１１…メダル投入信号、１２…メダルＩＮ信号、１３…メダル払出し信号、１４…中継基板（コンピュータ制御手段）、１５…異常信号、１６…異常表示灯、１７…集中異常表示灯、１８…メダル自動補給装置
【図１】
0004315498.tif 000002
【図２】
0004315498.tif 000003
【図３】
0004315498.tif 000004
【図４】
0004315498.tif 000005
【図５】
0004315498.tif 000006